(57)【要約】  ベッド下部構造３０と、保持構造６０に取り付けられている柔軟性のある布である臥床補助手段５０が設けられているインキュベータコンパートメント２０と、を有している、新生児又は早産児のための温熱療法器１０において、臥床補助手段５０を保持構造６０によって広げて張ることができ、その際に、保持構造６０によって、臥床補助手段５０をどの程度まで広げて張るかを調整することができ、また、保持構造６０を用いることによって、臥床補助手段５０をインキュベータコンパートメント２０から引き出すか、及び／又は回転させて出すことができる。この際、保持構造６０が可動にベッド下部構造３０に収容されていると好適である。保持構造６０が少なくとも２つの旋回可能な保持アーム６１を有していると更に有利であり、その際好適には、それぞれ２つの保持アーム６１が１つの保持アームペアを形成しており、また特に有利には、保持構造６０が保持アーム６１のペアを２つ有している。
2016537096.tif 000002
【特許請求の範囲】
【請求項１】
新生児又は早産児のための温熱療法器（１０）であって、
前記温熱療法器（１０）は、ベッド下部構造（３０）とインキュベータコンパートメント（２０）とを有しており、
前記インキュベータコンパートメント（２０）には、臥床補助手段（５０）が設けられており、
前記臥床補助手段（５０）は、保持構造（６０）に取り付けられている柔軟性のある布である、温熱療法器（１０）において、
前記臥床補助手段（５０）を前記保持構造（６０）によって広げて張ることができ、
前記保持構造（６０）によって、前記臥床補助手段（５０）を広げて張る程度を調整可能であり、
前記保持構造（６０）を用いることによって、前記臥床補助手段（５０）を、前記インキュベータコンパートメント（２０）から引き出す及び／又は回転させて出すことができることを特徴とする、温熱療法器。
【請求項２】
前記保持構造（６０）は、前記ベッド下部構造（３０）に可動に収容されている、請求項１に記載の温熱療法器。
【請求項３】
前記保持構造（６０）は、少なくとも２つの旋回可能な保持アーム（６１）を有している、請求項１又は２に記載の温熱療法器。
【請求項４】
２つの保持アーム（６１）がそれぞれ１つの保持アームペアを形成している、請求項３に記載の温熱療法器。
【請求項５】
各保持アーム（６１）に、前記臥床補助手段（５０）のための少なくとも１つの取付箇所（６３）が形成されている、請求項４に記載の温熱療法器。
【請求項６】
前記保持構造（６０）は、保持アーム（６１）のペアを２つ有している、請求項３から５までのいずれか１項に記載の温熱療法器。
【請求項７】
前記保持構造（６０）は、前記保持アーム（６１）のための少なくとも１つの収容ケース（６２）を有している、請求項３から６までのいずれか１項に記載の温熱療法器。
【請求項８】
少なくとも１つの収容ケース（６２）が伸縮式に前記ベッド下部構造（３０）に案内されている、請求項７に記載の温熱療法器。
【請求項９】
前記ベッド下部構造（３０）はテーブル状である、請求項１から８までのいずれか１項に記載の温熱療法器。
【請求項１０】
前記保持構造（６０）は駆動機構を有している、請求項１から９までのいずれか１項に記載の温熱療法器。
【請求項１１】
前記臥床補助手段（５０）は、加熱装置を有している、請求項１から１０までのいずれか１項に記載の温熱療法器。
【請求項１２】
前記インキュベータコンパートメント（２０）は、少なくとも１つの旋回可能な側壁（２１）を有している、請求項１から１１までのいずれか１項に記載の温熱療法器。
【発明の詳細な説明】
【技術分野】
【０００１】
本発明は、請求項１の上位概念に記載されている、新生児及び早産児のための温熱療法器に関する。
【背景技術】
【０００２】
新生児及び早産児（乳児）のための温熱療法器が一般的に知られている。開放された状態でケアを行うための温熱療法器も、閉鎖されたインキュベータコンパートメント内に新生児及び早産児がいるいわゆるインキュベータも存在する。
【０００３】
看護ケアの実務では、早産児を、母胎内の環境に似せて、全方位で囲むことが頻繁に必要になることが分かっている。しかしながら、従来のインキュベータでは、早産児は、側方に透明な囲いを有している平坦なベッド面と対面している。
【０００４】
それゆえ、独国実用新案第２０２００９００９７９４号明細書には、インキュベータに自由揺動式に懸吊可能である、早産児の収容装置が開示されている。ここでは、臥床面が吊り床によって形成される。吊り床は、上方からインキュベータコンパートメントに懸吊される。
【０００５】
独国実用新案第２０００６７８５号明細書及び独国特許出願公開第４３１６１７３号明細書にも、インキュベータコンパートメント内で懸吊されている臥床補助手段に臥床させることが開示されている。独国実用新案２０００６７５８号明細書には、吊り床状の臥床補助手段が、インキュベータコンパートメントの側壁に固定されているフックに取り付けられることが開示されている。独国特許出願公開第４３１６１７３号明細書には、乳児が臥床補助手段によってしっかりと固定されてくるまれることが開示されている。ここで提案される臥床補助手段は、インキュベータの上側の部分において、フックを用いてレールに懸吊される。
【０００６】
上記のいずれのインキュベータにおいても、乳児は、懸吊式の臥床補助手段を有していない従来のインキュベータと同様に、たいていは、周囲環境から比較的隔離されて、閉鎖された透明なケース内に横たわっている。しかしながら、これによって、両親との密なスキンシップ、更には、この成長段階においては実際に非常に重要であるケアスタッフとの密なスキンシップが困難になる。
【０００７】
これに対応するために、多くの病院では、種々の規模で、いわゆるカンガルーケアが実施されている。このカンガルーケアでは、乳児が一時的にインキュベータから取り出され、母親又は父親のもとで皮膚同士が直接触れ合う。もっともこれによって、乳児の姿勢が変化し、また、多かれ少なかれインキュベータから離れることになる。従ってこのケアは、乳児の臨床状態に基づき、触れ合うには十分であるとして、インキュベータから取り出すことが許可された乳児についてのみ実践することができる。特にその際には、センサのケーブル、人工呼吸装置のチューブ等が邪魔になることも考えられ、又はそれどころか、乳児の取り出しが妨げられることも考えられる。
【発明の概要】
【発明が解決しようとする課題】
【０００８】
上記の事項を出発点とした本発明の課題は、従来技術の上記の欠点及び更なる欠点を解決し、新生児及び早産児のための改良された温熱療法器を提供することである。特に、最適な臥床だけでなく、両親又はケアスタッフと新生児又は早産児との一時的な密な触れ合いを実現する温熱療法器が提供されるべきである。更には、温熱療法器は、可能な限り廉価且つ簡単に製造できるべきである。
【課題を解決するための手段】
【０００９】
この課題は、本発明によれば、請求項１の特徴部分に記載の構成を備えているインキュベータによって解決される。別の構成は、従属請求項に記載されている。
【００１０】
特に、本発明は、ベッド下部構造と、保持構造に取り付けられている柔軟性のある布である臥床補助手段が設けられているインキュベータコンパートメントと、を有する、新生児又は早産児のための温熱療法器において、臥床補助手段を保持構造によって広げて張ることができ、その際に、保持構造によって、臥床補助手段を広げて張る程度を調整することができ、また、臥床補助手段を、保持構造を用いることによって、インキュベータコンパートメントから引き出すことができる。
【００１１】
ここで、ベッド下部構造とは、インキュベータコンパートメントが載置されている温熱療法器の部分である。ベッド下部構造に、温熱療法器の運転に必要とされるメカニズムの全て又は一部を配置することができる。例えば、ベッド下部構造には、加熱装置、空気中の湿度を制御する装置、及び、インキュベータコンパートメント内に生じている周囲温度を制御する装置を配置することができる。また、ベッド下部構造に、インキュベータコンパートメント内の乳児の体重を量る装置又はレントゲン撮影装置が設けられていることも考えられる。インキュベータコンパートメントとは、この関係において、ケアすべき新生児又は早産児がいる空間であると解される。インキュベータコンパートメントは、典型的には、新生児又は早産児を横たわらせることができる臥床面と、少なくとも部分的に透明な側壁と、通常は透明である天井部と、によって画定されている。臥床面は、インキュベータコンパートメントと、ベッド下部構造との間の境界部を形成していると考えられる。臥床面がベッド下部構造の一部であることも考えられる。この場合、インキュベータコンパートメントは、上述の側壁と、上述の天井部と、ベッド下部構造と、によって画定される。オプションとして、インキュベータコンパートメント内に設けられている臥床補助手段に付加的に、インキュベータコンパートメント内の臥床面の上にマットレスを配置することもできる。
【００１２】
柔軟性のある布として形成されている臥床補助手段を、要求に応じて、種々の強さで緊張させることができる（広げて張ることができる；種々の強さの張力を有している）。本発明の特別な利点は、保持構造によって、臥床補助手段をどの程度まで広げて張るかを調整できることである。臥床補助手段が極弱く緊張されているか、又は緊張されていない（広げて張られていない）場合、臥床補助手段は、インキュベータコンパートメント内に懸吊されている吊り床のように機能する。これに対して、臥床補助手段が強く緊張されている場合、臥床補助手段はマットレスのように機能する。
【００１３】
保持構造が可動に形成されていると特に有利である。この可動性に基づき、一方では、臥床補助手段の張力を調整することができる（調整可能な張力）。換言すれば、保持構造の移動によって臥床補助手段を広げて張ることができるように、保持構造を可動にすることができる。
【００１４】
他方では、臥床補助手段の位置をインキュベータコンパートメントに対して相対的に変更できると有利である。このために、保持構造が可動に収容されていると好適である。特に、臥床補助手段がインキュベータコンパートメントに対して相対的に移動できるように、保持構造を動かすことができる。例えば、可動に収容されている保持構造が相応に動かされることによって、臥床補助手段をインキュベータコンパートメントから移動させることができるか、又はインキュベータコンパートメント内へと移動させることができる。インキュベータコンパートメント内での臥床補助手段の高さを保持構造の可動性によって調整できることも考えられる。換言すれば、本発明の利点は、臥床補助手段の張力も、インキュベータコンパートメントに対して相対的な臥床補助手段の位置も、保持構造の移動によって調整できることである。しかしながら、臥床補助手段の張力を調整する移動が、それと同時に臥床補助手段の位置にも影響を及ぼすこと、又はそれとは反対に、臥床補助手段の位置の変更が、それと同時に臥床補助手段の張力を調整する移動に影響を及ぼすことは、いかなる場合にも必要とされる訳ではない。保持構造をインキュベータコンパートメントから引き出す及び／又は回転させて出すことができる（herausschwenkbar）と好適であることが分かった。勿論、臥床補助手段をインキュベータコンパートメント内に進入させる反対方向の移動も可能である。
【００１５】
この関係において、保持構造をベッド下部構造に可動に収容することができる。これは、一方では、保持構造の重心が比較的低い位置に置かれるという利点を有しており、このことは、移動時の保持構造の安定性に有利に作用すると考えられる。他方では、例えば保持構造をインキュベータコンパートメントから引き出す人間が温熱療法器の前に座っており、従って、インキュベータコンパートメントとの関係において、比較的低い位置を取る場合であっても、保持構造の取り扱いを簡単に実現できる。更に、このようにして、インキュベータコンパートメント内に向けられる視線を保持構造の一部が遮ること、従って温熱療法器内にいる乳児に向けられる視線を遮ることを回避することができる。
【００１６】
いずれの場合にも、保持構造が少なくとも２つの旋回可能な保持アームを有していると好適である。この保持アームの旋回によって、ひいては保持構造の移動によって、臥床補助手段の張力を調整することができる。この場合、有利には、保持構造は４つの旋回可能な保持アームを有している。保持アームが円弧状であることも考えられる。例えば、保持アームは半円又は１／４円状のバーの構造を有することができる。他の形状の円弧も勿論可能である。それらのバーはそれぞれ第１の端部及び第２の端部を有している。この場合、各保持アームの少なくとも一方の端部は、例えば自由端部としての端部は、インキュベータコンパートメント内に突出していると考えられる。保持アームがその形状に応じて円弧状の軌道に沿って移動できるように、保持アームを保持構造に収容することができる。例えば、各保持アームを円弧状の軌道に沿ってスライドさせることができ、その場合には、円弧状の軌道の半径は、保持アームの円弧の半径と一致する。その際有利には、保持アームの端点が、その円弧状の軌道に沿って移動する際に相互に近付く方向又は相互に離れる方向に移動できるように、保持アームは保持構造内で相互に配向されている。
【００１７】
それぞれ２つの保持アームが１つの保持アームペアを形成すると好適であることが分かった。保持アームが相互にすれ違いながら摺動できるように、保持アームペアの各保持アームが可動に収容されていることも考えられる。各保持アームは、外側の端点及び内側の端点を有することができる。内側の端点は、各他方の保持アームと対向している端点である。外側の端点は、インキュベータコンパートメント内に突出する自由端点である。保持アームペアの各保持アームの旋回によって、保持アームペアの外側の端点間の距離を拡大又は縮小することができる。この場合においても、有利には、端点の移動は、保持アームの形状によって設定される円弧に応じている。
【００１８】
有利には、その種の保持構造においては、各保持アームに臥床補助手段のための少なくとも１つの取付箇所が形成されている。特に有利には、取付箇所がそれぞれ保持アームの一方の端点に、極めて有利には保持アームの外側の端点に形成されている。取付箇所がフックによって形成され、それらのフックに臥床補助手段を懸吊させることも考えられる。フックは例えばロック可能な安全フックであって良い。代替的には、クリップ止め、ねじ止め等の別の固定機構も勿論考えられる。臥床補助手段を取付箇所に取り付け可能であることが重要である。有利には、臥床補助手段はリバーシブルに取付箇所に取り付け可能である。後者の場合には、臥床補助手段の交換及び温熱療法器のクリーニングが容易になる。例えば、上述したように布状の臥床補助手段が矩形の形状を有していることが考えられ、その場合には、布の各角が保持装置の取付箇所に取り付けられている。
【００１９】
保持アームの旋回によって、インキュベータコンパートメント内の取付箇所の位置が変化する。臥床補助手段の取付箇所の高さを相互に独立して調整可能であると好適である。臥床補助手段は、有利には、脚部側端部及び頭部側端部を有している。同じことが温熱療法器及びインキュベータコンパートメントにも当てはまる。この場合、例えば、布の脚部側端部が取り付けられている取付箇所は、布の頭部側端部が取り付けられている取付箇所とは異なる高さに位置することができる。このようにして、臥床補助手段の斜めの位置を達成することができる。斜めの位置とは、臥床補助手段に横たわる乳児がマットレスとは平行ではない位置である。臥床補助手段の取付箇所の高さを対で調整できると特に好適であることが分かった。本発明によれば、上述の円弧状の軌道に沿った保持アームの旋回によって、高さの調整が行われる。
【００２０】
更に、保持構造が保持アームのペアを２つ有していると好適である。一方のペアをインキュベータコンパートメントの頭部側端部の領域に配置することができ、他方のペアをインキュベータコンパートメントの脚部側端部の領域に配置することができる。相応に、頭部側端部の領域に配置されているペアには、臥床補助手段の頭部側端部を取り付けることができ、他方、脚部側端部の領域に配置されているペアには、臥床補助手段の脚部側端部を取り付けることができる。保持アームの第１のペアは、臥床補助手段の頭部側端部を広げて張り、他方では、保持アームの第２のペアは、臥床補助手段の脚部側端部を広げて張る。
【００２１】
保持構造が、保持アームのための少なくとも１つの収容ケースを有している場合にも好適である。例えば、保持アームが収容ケース内に降下可能であることも考えられる。つまり、例えば、保持アームが収容ケース内に可動に収容されていることが考えられ、その場合には、保持アームの外側の端部を収容ケースから張り出させることができる。収容ケースには、ガイドローラを設けることができ、それらのガイドローラは旋回中の保持アームを適切な位置に保持する。
【００２２】
保持アームが完全に収容ケース内に降下している場合、有利には、臥床補助手段は、インキュベータコンパートメント内の臥床面上に、例えばマットレスの上に平坦に広げられる。このようにして、臥床補助手段に横たわる乳児を優しく臥床面に降ろすことができる。代替的に、保持アームが完全に降下する前であっても、臥床補助手段を取り外すことができる。このことは、例えば、乳児がマットレスの上に直接横たわることが望まれる場合には好適である。
【００２３】
保持構造が２つの収容ケースを有していることも考えられる。特に、保持構造が保持アームのペアを２つ有している場合には、それらのペアを１つずつ収容ケースに収容することができる。つまり、例えば、第１の収容ケースが温熱療法器の頭部側端部に配置されており、第２の収容ケースが温熱療法器の脚部側端部に配置されていることが考えられる。この場合、温熱療法器の頭部側端部は、インキュベータコンパートメントの頭部側端部に対応しており、また、温熱療法器の脚部側端部は、インキュベータコンパートメントの脚部側端部に対応している。
【００２４】
１つ又は複数の収容ケースを温熱療法器から引き出せると特に好適である。このようにして、保持構造全体を温熱療法器から引き出すことができる。この場合には、保持構造によって、温熱療法器から、特にインキュベータコンパートメントから臥床補助手段も引き出すことができる。保持構造を側方において引き出せると有利である。つまり、ベッド下部構造がテーブル状に形成されていることも考えられ、その場合、臥床面は、インキュベータコンパートメントによって覆われている「テーブル上面」に相当する。保持構造は、例えば、保持アームの２つのペアから形成されており、各ペアは収容ケースに収容されている。保持アームは各収容ケースにおいて旋回可能である。各保持アームの外側の端部には、布状の臥床補助手段のための取付箇所が形成されている。各取付箇所には、有利には矩形の臥床補助手段の角が取り付けられている。２つの収容ケースのうちの一方は、インキュベータコンパートメントの脚部側端部の領域に配置されている。他方の収容ケースは、インキュベータコンパートメントの頭部側端部の領域に配置されている。ベッド下部構造の上側の面がインキュベータコンパートメントの下側の面と位置合わせされて終端しているように、例えばマットレスを敷くことができる臥床面と位置合わせされて終端されているように、収容ケースがベッド下部構造に配置されていると特に好適である。１つ又は全ての収容ケースが把手を有しており、その把手を用いることによって収容ケースを、ひいては保持構造をインキュベータコンパートメント又は温熱療法器から引き出せることも考えられる。
【００２５】
収容ケースが伸縮式にベッド下部構造に案内されていると有利である。保持構造を迅速且つ簡単に、温熱療法器から引き出すことができるか、又は温熱療法器内へと押し込むことができる。保持構造が同期機構を有しており、これによって、複数の収容ケースが同期することでのみ移動できると特に有利である。このようにして、保持構造の移動時の臥床補助手段の意図しない引っ張り又は歪みを効果的に防止することができる。
【００２６】
ベッド下部構造がテーブル状であると好適であることが分かった。これによってインキュベータの前に座ることが容易になる。ベッド下部構造が、高さ調整可能な２本の支柱を有していることも考えられる。代替的に、ベッド下部構造が離心した曲げ耐性のある支柱を有しているか、又は、ベッド下部構造が中央のリフティングコラムを有していることも考えられる。
【００２７】
保持構造が駆動機構を有している場合にも好適である。この場合には、保持アームペアの各保持アームを駆動機構によって相互に同期させて移動させることも考えられる。例えば、保持アームが円弧状のラックを有することができる。保持アーム自体を簡単に円弧状のラックとして形成することも考えられる。この場合、駆動機構は歯車を有することができ、歯車は機械的又は電気的な駆動部の運動を保持アームに伝達することができる。この場合には、例えば、歯車が保持アームのラック間に配置されていることも考えられ、その歯車によって、保持アームを同期させて移動させることができる。歯車をモータ駆動によって、及び／又は、手動で制御することができる。手動の制御のために、例えば、複数の歯車を駆動させることが可能な１つ又は複数の手動クランクを設けることができる。
【００２８】
臥床補助手段が加熱装置を有している場合にも特に有利である。例えば、布状の臥床補助手段に面状ヒータを組み込むことも考えられる。このようにして、臥床補助手段に横たわる乳児を、インキュベータコンパートメント内だけでなく、インキュベータコンパートメント外に引き出された保持構造においても暖かく維持することができる。加熱装置を電気毛布として形成することも考えられる。例えば、臥床補助手段を電気毛布によって形成することができるし、又は、臥床補助手段は電気毛布が組み込まれている吊り床であっても良い。特に、電気抵抗加熱器又は流体加熱器も考えられる。
【００２９】
保持構造、ひいては乳児を横たわらせることができる臥床補助手段を温熱療法器から引き出せるようにするために、インキュベータコンパートメントが少なくとも１つの旋回可能な側壁を有していると有利である。例えば、側壁が平行四辺形リンクを用いて旋回可能であることも考えられる。平行四辺形リンクがインキュベータコンパートメントとは異なる、インキュベータケーシングの領域に配置されていると特に好適である。例えば、側壁を一方の側において、平行四辺形リンクに懸吊させることができる。このようにして側壁を簡単且つ容易に上方へと、又は下方へと旋回させることができる。
【００３０】
総じて、本発明による解決手段の特別な利点は、臥床補助手段が吊り床の形状を有しており、吊り床が温熱療法器に組み込まれており、吊り床は密接して乳児を包囲することができ、また、保持構造を用いて、乳児と共に側方において、温熱療法器から、特に温熱療法器のインキュベータコンパートメントから引き出すことができる。温熱療法器の傍に座るか立っている両親又はケアスタッフは、このようにして、乳児と密に触れあうことができ、その一方で、乳児はその横たわっている位置を変えないままで良く、従って受けるストレスは可能な限り少ない。温熱療法器の傍に座れるようにすることは、付加的に、ベッド下部構造を非常に平坦でテーブル状に実施することによって支援される。付加的に、保持構造の特別な構成は、特定の医療目的のために望まれる場合もある、乳児を傾けて横たわらせることを実現する。特に、このことは、保持アームの端部に形成されている取付箇所によって実現され、それらの取付箇所は相互に独立して、有利には対で高さを調整することができる。この高さ調整によって、臥床補助手段は種々に密接して乳児を包囲することができ、又は、臥床補助手段を乳児の身体の大きさに適合させることができる。保持アームを保持構造の収容ケース内に完全に降下させることによって、乳児を臥床補助手段の下に配置されている臥床面に、例えばマットレスに優しく降ろすことができる。
【００３１】
乳児を温熱療法器外でも暖かく維持するために、吊り床には面状ヒータを組み込むことができる。更に有利には、臥床補助手段を簡単に取付箇所から取り外すことができ、また、保持アームを完全に収容ケース内に降下させることができる。このようにして、温熱療法器を所定の事例では、慣例のやり方でも、即ち平坦な臥床面とその下にあるマットレスを用いても利用することができる。臥床補助手段を定期的に交換してクリーニングできるようにするために、臥床補助手段を簡単に取り外せることも好適である。
【００３２】
更なる特徴、細部及び詳細は、以下において説明する複数の図面及び実施例から明らかになる。それらの実施例は単に例示的なものに過ぎず、当業者であれば、本明細書の記載に基づき、問題なく別のヴァリエーション及び実施例に想到できることは自明である。
【図面の簡単な説明】
【００３３】
【図１ａ】インキュベータコンパートメントからスライドされて取り出された状態の、本発明による保持構造を備えている温熱療法器を示す。
【図１ｂ】図１ａに図示した温熱療法器の別の図を示す。
【図２ａ】保持アームが上方に完全に旋回されている、本発明による保持構造の詳細図を示す。
【図２ｂ】保持アームが下がっている、図２ａに示した保持構造の別の詳細図を示す。
【図２ｃ】収容ケース内に保持アームが降下している、図２ａ及び図２ｂに示した保持構造の別の詳細図を示す。
【図３ａ】吊り床のように機能する臥床補助手段がインキュベータコンパートメント内にある、図１ａ及び図１ｂに示した温熱療法器を示す。
【図３ｂ】傾斜した臥床面を実現している臥床補助手段がインキュベータコンパートメント内にある、図１ａ及び図１ｂに示した温熱療法器を示す。
【図３ｃ】マットレスのように機能する臥床補助手段がインキュベータコンパートメント内にある、図１ａ及び図１ｂに示した温熱療法器を示す。
【図３ｄ】臥床補助手段が取り外されており、付加的に設けられているマットレスの上に乳児が横たわっており、また、保持アームが保持構造の収容ケース内に降下している、図１ａ及び図１ｂに示した温熱療法器を示す。
【図４ａ】ベッド下部構造がテーブル状に形成されている、本発明による温熱療法器を示す。
【図４ｂ】ベッド下部構造が側方の支柱を備えるように形成されている、本発明による温熱療法器を示す。
【図４ｃ】ベッド下部構造が中央の支柱を有している、本発明による温熱療法器を示す。
【発明を実施するための形態】
【００３４】
以下において、同一の参照番号は全図においてそれぞれ同一の構成部材を表している。図１ａ及び図１ｂに示す温熱療法器１０は、ベッド下部構造３０とインキュベータコンパートメント２０とを有している。ベッド下部構造３０は、第１及び第２の支柱３１を有している。これらの支柱３１は、温熱療法器１０の頭部側端部Ｎ及び脚部側端部Ｓにそれぞれ配置されている。支柱３１には、それぞれ脚部ビーム３２並びにキャスタ３３が配置されている。このようにして、温熱療法器１０を移動させることができ、また定置させることもできる。インキュベータコンパートメント２０は、臥床面４０、天井部４１及び側壁２１によって画定される。側壁２１は、垂直方向に旋回可能であり、これによってインキュベータコンパートメント２０を開放することができる。図示の例においては、ケアを行う大人Ｅに対向する側壁２１が上方に旋回されている。側壁２１には、把手２２が形成されており、この把手２２を用いることによって側壁２１を動かすことができる。図１ｂから見て取れるように、インキュベータコンパートメント２０の頭部側端部２４には平行四辺形リンク２３が配置されている。この平行四辺形リンク２３を用いることによって、側壁２１を旋回させることができる。
【００３５】
温熱療法器１０は、保持構造６０と、この保持構造６０に取り付けられている臥床補助手段５０と、を更に有している。保持構造６０は、図示の実施例では、２つの収容ケース６２を有しており、これら２つの収容ケースには保持アーム６１のペアが１つずつ配置されている。保持アーム６１には、臥床補助手段５０が取り付けられている。保持アーム６１は、このために、その端部６１１に取付箇所６３を有している。各収容ケース６２には、把手６４が配置されている。把手６４を用いることによって、保持構造６０をインキュベータコンパートメント２０から引き出すことができる。
【００３６】
図１ａ及び図１ｂに示す状態において、ケアすべき乳児Ｂは臥床補助手段５０に横たわっている。インキュベータコンパートメント２０は開放されており、また臥床補助手段５０はその上に横たわる乳児Ｂと共に、インキュベータコンパートメント２０から引き出されている。大人Ｅはテーブルに着くように温熱療法器１０の前に座り、最適な状態で乳児Ｂに近付いて乳児Ｂと接触する。
【００３７】
図２ａ，図２ｂ及び図２ｃには、保持構造６０の一部が詳細に示されている。それぞれ２つの保持アーム６１が１つの保持アームペアを形成している。保持アーム６１は、円弧の形状を有している。保持アームペアの各保持アーム６１は、外側端部６１１及び内側端部６１２を有している。
【００３８】
保持アーム６１の外側端部６１１には、それぞれ１つの取付箇所６３が形成されている。図示の実施例においては、取付箇所６３はフック状である。図１ａ，図１ｂ，図３ａ，図３ｂ，図３ｃ，図４ａ，図４ｂ並びに図４ｃから見て取れるように、この取付箇所６３において、臥床補助手段５０を保持構造６０に取り付けることができる。
【００３９】
保持アームペアの各一方の保持アーム６１の内側端部６１２は、それぞれ、保持アームペアの他方の保持アーム６１と対向している。図２ａに示すように、保持アームペアが完全に張り出した状態では、保持アーム６１の内側端部６１２は相互に近接して位置している。各保持アーム６１には、少なくとも１つの区間がラック６５として形成されていることが見て取れる。代替的に、各保持アーム６１にラック６５が取り付けられていることも考えられる。保持アーム６１間には歯車６６が配置されている。歯車６６は、保持アーム６１のラック６５に噛合されている。保持アーム６１が歯車６６の回転によって、円弧状の軌道Ｋに沿って、相互に反対方向に旋回可能であることが見て取れる。このように、保持構造６０を用いることによって、臥床補助手段５０をどの程度まで広げて張るかを調整することができる。特に、円弧状の軌道Ｋに沿った保持アーム６１の旋回によって、保持アーム６１の外側の端部６１１を相互に近付くように、また相互に離れるように移動させることができる。このようにして、臥床面４０の上方における取付箇所６３の高さも同時に調整することができる。
【００４０】
図２ｂ及び図２ｃからも同様に、図２ａに示した保持構造６０の一部が見て取れる。しかしながら、図２ｂにおいては、保持アーム６１が収容ケース６２に大きく進入している。図２ｃにおいては、保持アーム６１が、図３ｄにおいても同様に、完全に収容ケース６２内に降下している。
【００４１】
図３ａ，図３ｂ，図３ｃ及び図３ｄからも見て取れるように、臥床補助手段５０が保持構造６０によって広げて張られ、また、保持構造６０を用いることによって、その臥床補助手段５０をどの程度まで広げて張るかを調整することができる。つまり、図３ａにおいては、保持アーム６１が最大限に張り出しており、取付箇所６３は考えられる一番高い位置にある。ここでは、保持アーム６１の全ての取付箇所６３が同じ高さに位置決めされている。臥床補助手段５０は、乳児Ｂが横たわる吊り床として機能する。
【００４２】
図３ｂからは、乳児Ｂの頭部がその脚よりも高い位置に横たわるように、臥床補助手段５０が傾斜されている様子が見て取れる。勿論、頭部よりも脚の方が高い位置にある反対の事例も可能である。頭部側端部Ｎ，２４に配置されている保持アーム６１が、脚部側端部Ｓに配置されている保持アーム６１よりも、所属の収容ケース６２から張り出していることが見て取れる。その結果、頭部側端部Ｎ，２４の保持アーム６１に形成されている取付箇所６３は、脚部側端部Ｓの保持アームに形成されている取付箇所６３よりも高い位置にある。
【００４３】
図３ｃからは、臥床補助手段５０がほぼ完全に広げて張られている様子が見て取れる。保持アーム６１は、図２ｂに示したように、収容ケース６２から取付箇所６３だけが突出する程度にまで収容ケース６２内に降下している様子が見て取れる。乳児は、マットレスのような臥床補助手段５０の上に横たわっている。
【００４４】
図３ｄにおいては、図２ｃに示したように、保持アーム６１が完全に収容ケース６２内に降下している。臥床補助手段５０は取り外されており、乳児Ｂは温熱療法器１０の臥床面４０に横たわっている。図３ｄから見て取れるように、臥床面４０も同様に引き出し可能であるように形成することができる。
【００４５】
図４ａ，図４ｂ及び図４ｄからは、ベッド下部構造３０に関する例示的な種々の変形例が見て取れる。図１ａ，図１ｂ，図３ａ，図３ｂ，図３ｃ及び図３ｄに示した実施例に対応する、図４ａに示す実施例においては、ベッド下部構造３０が２本の支柱３１を有している。これらの支柱３１は、温熱療法器１０の頭部側端部Ｎ及び脚部側端部Ｓに配置されている。図４ａに示すベッド下部構造３０はテーブル状である。
【００４６】
図４ｂ及び図４ｃに示す代替的な実施例においては、各ベッド下部構造３０が支柱３１を１本しか有していない。支柱は、図４ｂに示すように、温熱療法器１０の頭部側端部Ｎに配置されているか、又は図４ｃに示すように、温熱療法器１０の臥床面４０の下において中央に配置されている。脚部ビーム３２はいずれの場合も車台として形成されており、複数のキャスタ３３を有している。更に、脚部ビーム３２は図４ｂ及び４ｃに示す実施例においては、温熱療法器の近くに座ってケアを行う大人の支持部を形成している。
【００４７】
構造に関する詳細、空間的な配置構成及び方法ステップも含めた、特許請求の範囲、明細書及び図面から明らかになる全ての特徴及び利点は、それ自体単独でも、また種々の組み合わせにおいても発明の本質を成すものであると考えられる。
【００４８】
要約すると、ベッド下部構造３０と、保持構造６０に取り付けられている柔軟性のある布である臥床補助手段５０が設けられているインキュベータコンパートメント２０と、を有する、新生児又は早産児のための温熱療法器１０において、臥床補助手段５０が保持構造６０によって広げて張られており、その際に、保持構造６０によって、臥床補助手段５０をどの程度まで広げて張るかを調整することができると好適であり、また、臥床補助手段５０を、保持構造６０を用いることによって、インキュベータコンパートメント２０から引き出すことができ、及び／又は、回転させて出すことができる。この場合、保持構造６０が可動にベッド下部構造３０に収容されていると好適である。保持構造６０が少なくとも２つの旋回可能な保持アーム６１を有していると更に有利であり、好適には、それぞれ２つの保持アーム６１が１つの保持アームペアを形成しており、また保持構造６０が特に有利には保持アーム６１のペアを２つ有している。各保持アーム６１には、臥床補助手段５０のための少なくとも１つの取付箇所６３が形成されており、また保持構造６０は、保持アーム６１のための少なくとも１つの収容ケース６２を有している。有利には、少なくとも１つの収容ケース６２が、伸縮式にベッド下部構造３０内に案内されている。総じて、ベッド下部構造３０はテーブル状であり、保持構造６０が駆動機構を有しており、臥床補助手段５０が加熱装置を有しており、また、インキュベータコンパートメント２０が少なくとも１つの旋回可能な側壁２１を有していると好適である。
【符号の説明】
【００４９】
Ｂ  乳児
Ｅ  大人
Ｎ  頭部側端部
Ｓ  脚部側端部
Ｋ  円弧状の軌道
１０  温熱療法器
２０  インキュベータコンパートメント
２１  側壁
２２  把手
２３  平行四辺形リンク
２４  頭部側端部
３０  ベッド下部構造
３１  支柱
３２  脚部ビーム
３３  キャスタ
４０  臥床面
４１  天井部
５０  臥床補助手段
６０  保持構造
６１  保持アーム
６１１  端部
６１２  端部
６２  収容ケース
６３  取付箇所
６４  把手
６５  ラック
６６  歯車
【図１ａ】
2016537096.tif 000003
【図１ｂ】
2016537096.tif 000004
【図２ａ】
2016537096.tif 000005
【図２ｂ】
2016537096.tif 000006
【図２ｃ】
2016537096.tif 000007
【図３ａ】
2016537096.tif 000008
【図３ｂ】
2016537096.tif 000009
【図３ｃ】
2016537096.tif 000010
【図３ｄ】
2016537096.tif 000011
【図４ａ】
2016537096.tif 000012
【図４ｂ】
2016537096.tif 000013
【図４ｃ】
2016537096.tif 000014
【国際調査報告】
2016537096.tif 000015
2016537096.tif 000016
2016537096.tif 000017
2016537096.tif 000018